(57)【特許請求の範囲】
【請求項１】
建物外壁から外側へ突出する状態にバルコニー又は庇からなる突出部が設けられ、
前記突出部の下面には、突出先端側から前記建物外壁にかけて下る傾斜部が設けられ、
太陽光の一部を前記建物外壁に透過可能で、且つ、太陽光の一部を前記傾斜部に反射可能な第１透過板が、前記傾斜部の下方の近傍位置に、略水平に取り付けられている建物外装構造。
【請求項２】
前記傾斜部への指向性を有する照明を行う照明器具が、前記傾斜部に対向させて設けられている請求項１に記載の建物外装構造。
【請求項３】
前記傾斜部の下縁部が接する建物外壁部に、前記第１透過板の一方の縁部が取り付けてあり、
前記突出部の先端部に、太陽光を透過可能な第２透過板の上縁部が取り付けてあり、
前記第１透過板の他方の縁部と、前記第２透過板の下縁部とが取り付けてあり、
前記傾斜部と前記第１透過板と前記第２透過板とで囲まれた密閉空間が形成されている請求項１又は２に記載の建物外装構造。
【請求項４】
前記傾斜部への指向性を有する照明を行う照明器具が、前記密閉空間の外側で前記傾斜部に対向させて設けられている請求項３に記載の建物外装構造。
【請求項５】
前記第１透過板と前記第２透過板とには、太陽光を透過する透過部と太陽光を反射する反射部とを板面内で分散配置して構成された模様が形成してある請求項３又は４に記載の建物外装構造。
【発明の詳細な説明】
【技術分野】
【０００１】
本発明は、建物外壁から外側へ突出する状態にバルコニー又は庇からなる突出部が設けられている建物の外装構造に関する。
【背景技術】
【０００２】
従来、この種の建物外装構造としては、複数階層を備えた建物において、各階層毎に前記突出部に相当するバルコニーが設けられているものがあった（例えば、特許文献１参照）。
【先行技術文献】
【特許文献】
【０００３】
【特許文献１】特開平８−２４３１８３号公報（図１、図２）
【発明の概要】
【発明が解決しようとする課題】
【０００４】
上述した従来の建物外装構造によれば、日中はバルコニーの影が、バルコニーの下方の建物外壁部分にでき、建物の外観としては、影の部分と、陽が当たっている部分とが上下に交互に連なる。
複数階層の建物の場合、各階層毎に前記影ができるから、影による縞柄が建物外壁の広い範囲にわたって描かれ、暗い外観イメージになり易い。
この現象は、明るい外観イメージを与えたい建物（例えば大型商業施設等）においては、好ましくない。
この問題を解消するには、例えば、日中でもバルコニーの影の部分を照明器具によって照明することや、又は、バルコニーをメッシュ状の金網で構成して影が生じ難くすることが考えられる。
しかし、前者の「照明器具を設置する」方法の場合、せっかく自然光があるにも拘わらず、照明器具を灯したままにしておく必要があるから、電気エネルギーの無駄づかいになる。
一方、後者の「金網でバルコニーを構成する」方法の場合、上面の歩行時にハイヒールが網目に引っ掛かって歩行の障害となる危険性があり、例えば、避難通路等には不向きであるから用途が限定される。
【０００５】
従って、本発明の目的は、上記問題点を解消し、通常、下部に影ができる突出部を備えながらも、自然光を活用して明るい外観イメージが得られる建物外装構造を提供するところにある。
【課題を解決するための手段】
【０００６】
本発明の第１の特徴構成は、建物外壁から外側へ突出する状態にバルコニー又は庇からなる突出部が設けられ、前記突出部の下面には、突出先端側から前記建物外壁にかけて下る傾斜部が設けられ、太陽光の一部を前記建物外壁に透過可能で、且つ、太陽光の一部を前記傾斜部に反射可能な第１透過板が、前記傾斜部の下方の近傍位置に、略水平に取り付けられているところにある。
【０００７】
本発明の第１の特徴構成によれば、前記突出部の下面に傾斜部が設けてあるから、突出部の下の奥まった部分が前方に迫り出して、散乱光を含めた光が少しでも当たりやすくなると共に、前記第１透過板による太陽光の反射光が、迫り出した前記傾斜部に照射されることで、突出部の下面を従来に比べて明るくすることができる。
更には、第１透過板は太陽光を建物外壁に透過できるから、建物外壁に第１透過板による影もつくらない。
その結果、建物外壁に太陽光による影の縞柄ができるのを防止でき、建物の外観イメージを明るく保つことができるようになる。
【０００８】
本発明の第２の特徴構成は、前記傾斜部への指向性を有する照明を行う照明器具が、前記傾斜部に対向させて設けられているところにある。
【０００９】
本発明の第２の特徴構成によれば、日中においては、太陽光による影が突出部の下面に出来難くなることに加えて、前記照明器具によって傾斜部を照明することができるから、例えば、夜には、前記照明器具による照明効果によって建物の外観の美観性を向上させることができる。
このように、昼夜を通して建物外観の美観性を向上させることができる。
【００１０】
本発明の第３の特徴構成は、前記傾斜部の下縁部が接する建物外壁部に、前記第１透過板の一方の縁部が取り付けてあり、前記突出部の先端部に、太陽光を透過可能な第２透過板の上縁部が取り付けてあり、前記第１透過板の他方の縁部と、前記第２透過板の下縁部とが取り付けてあり、前記傾斜部と前記第１透過板と前記第２透過板とで囲まれた密閉空間が形成されているところにある。
【００１１】
本発明の第３の特徴構成によれば、傾斜部と第１透過板と第２透過板とで密閉空間を形成しているから、例えば、虫や塵や湿気等が空間内に入って内部を汚すことを防止できる。
その結果、密閉空間内のメンテナンスの手間を軽減することができると共に、照明器具による照明効果を、より好ましい状態で発揮することができる。
【００１２】
本発明の第４の特徴構成は、前記傾斜部への指向性を有する照明を行う照明器具が、前記密閉空間の外側で前記傾斜部に対向させて設けられているところにある。
【００１３】
一般的に、照明器具は、ケースの中に納まった使用形態をとることが多いことから、密閉空間の中に照明器具を配置することが考えられるが、この場合は、照明器具のメンテナンス時に前記密閉空間を開けなければならないから、密閉性能が低下する恐れがあり、その都度、開口部周囲のシールのやり直しや密閉性能の確認が必要となる。従って、メンテナンス作業の効率が低下しやすい問題がある。
本発明の第４の特徴構成によれば、照明器具のメンテナンス作業は、前記密閉空間の密閉状態を維持した状態でその外側で実施できるから、より簡単に光源の点検や交換を実施することができる。
【００１４】
本発明の第５の特徴構成は、前記第１透過板と前記第２透過板とには、太陽光を透過する透過部と太陽光を反射する反射部とを板面内で分散配置して構成された模様が形成してあるところにある。
【００１５】
本発明の第５の特徴構成によれば、第２透過板と第１透過板とを透過する太陽光は、時間と共に照射角度が変化し、その変化に伴って両透過板どうしの模様の重なり方（干渉）にも変化が発生し、その結果、建物外壁部には、時間と共に変化する独特の模様が写し出されることになる。従って、独創的な模様によって美観性が向上する。
また、照明器具を用いる場合には、照明器具で照射した光が傾斜部において反射するから、第２透過板や第１透過板を通して建物外から見える反射光は、それぞれの模様を通して見ることができ、見る位置が変化するに伴って見える模様も変化し、独創的な模様が写し出される。
特に、照明器具が密閉空間の外側に配置してある場合には、照射光が傾斜部に達する前に、第１透過板または第２透過板の何れかを通過するから、その時点で模様によるフィルター作用が追加され、傾斜部において反射される反射光による模様を、より独創的なものにすることができる。
【図面の簡単な説明】
【００１６】
【図１】建物のバルコニーを示す断面図
【図２】建物のバルコニーを示す切欠き斜視図
【図３】建物のバルコニーを示す断面詳細図
【図４】合せガラスと照明器具との関係を示す断面詳細図
【図５】別実施形態の建物のバルコニーを示す断面図
【発明を実施するための形態】
【００１７】
以下に本発明の実施の形態を図面に基づいて説明する。
【００１８】
図１、図２は、本発明の建物外装構造の一実施形態を採用してある建物Ｂの要部を示すもので、当該実施形態においては、建物Ｂは、百貨店等の商業施設ビルである。
建物Ｂは、複数の階層を備えており、建物外壁１の外側には、各階層毎にバルコニー（突出部の一例）２が設けてある。
【００１９】
前記バルコニー２は、外縁部に沿って手摺３が設けてあり、避難通路として使用できるように構成されている。
前記手摺３は、バルコニー２に取り付けられた手摺金属フレーム３ａに、合わせフロート板ガラス３ｂを嵌合させて構成してある。
【００２０】
前記バルコニー２は、建物躯体から張り出す状態に設けられているバルコニー本体２Ａと、そのバルコニー本体２Ａの下に、バルコニー本体２Ａの先端から建物外壁１にかけて下り勾配に設けられた傾斜部２Ｂとを備えて構成してある。
前記傾斜部２Ｂは、バルコニー本体２Ａと建物外壁１とに固定された金属フレーム４に対して、アルミニウム製の積層複合板５を傾斜させて取り付けることで構成されている。
前記積層複合板５の傾斜角度は、当該実施形態においては、水平面に対してバルコニー本体２Ａから建物外壁１に４５度で下り勾配となるように設定してある。
尚、積層複合板５の表面は、オレンジ色に着色してあると共に、粗面仕上げにしてあり、後述する照明器具Ｌからの照射光を散乱させて反射できるように構成されている。
また、バルコニー本体２Ａと積層複合板５との間の軒下空間６には、前記積層複合板５を支持する支持フレーム７が設けられている他、バルコニー２の排水管８等が納められている。
【００２１】
前記金属フレーム４は、図２、図３に示すように、鉛直面に沿った額縁状の縦フレーム４Ａと、水平面に沿った額縁状の横フレーム４Ｂとを一体化した構造に形成してあり、縦フレーム４Ａの上辺部分がバルコニー本体２Ａに、横フレーム４Ｂの建物外壁１側の辺部分が建物外壁１にそれぞれ密接状態に取り付けてある。
【００２２】
前記縦フレーム４Ａには、強化ガラスを用いた合せガラス（第２透過板の一例）ＧＡが、略鉛直姿勢で密閉状態に嵌合してある。
一方、前記横フレーム４Ｂには、強化ガラスを用いた合せガラス（第１透過板の一例）ＧＢが、略水平姿勢で密閉状態に嵌合してある。
前記合せガラスＧＡ、合せガラスＧＢ、積層複合板５で囲まれた空間は、密閉空間Ｖとして構成されている。
【００２３】
前記合せガラスＧＡ，ＧＢは、図４に示すように、透明な板ガラスの片面（前記密閉空間Ｖ側の面）にセラミックプリントが施されており、セラミック塗料による例えばドット模様等の模様ｄが形成されている。
模様ｄは、白色で描いてあり、板面内の全域にわたって分散配置してある。
当該実施形態においては、合せガラスＧＡ，ＧＢの模様ｄを描いていない透明部分を通して太陽光は建物外壁１に透過する。この透明部分を透過部Ｐ１という。
また、縦配置の合せガラスＧＡを透過した太陽光は、合せガラスＧＢの上面の全域で一部が反射され（図３参照）、前記傾斜部２Ｂを明るく照らすことができる。特に、模様ｄの部分は、白色であるから、太陽光を殆どを反射することができ、合せガラスＧＢのこの部分を反射部Ｐ２という。
従って、日中に、バルコニー２の下面側に暗い影が見えるのを防止することができる。
因みに、合せガラスＧＢに関しては、図３、図４に示すように、建物外壁１側の縁部に備えた横軸芯周りに上下揺動できる状態に枢支されており、前記密閉空間Ｖ内でのメンテナンス作業等を実施する際に、前記合せガラスＧＢを下方へ揺動させて開くことができるように構成されている。
【００２４】
前記横フレーム４Ｂにおける前記合せガラスＧＢの揺動先端側部分には、前記密閉空間Ｖの下方に位置する状態に照明器具Ｌが設置してある。
この照明器具Ｌは、複数のＬＥＤをバルコニー２の長手方向に沿って連設した光源Ｌ１と、各光源Ｌ１を支持すると共に光源Ｌ１からの光を前記傾斜部２Ｂに向けて反射させる支持カバーＬ２とを設けて構成してある。従って、各光源Ｌ１からの光は、直接光と支持カバーＬ２による反射光とによって傾斜部２Ｂを照明することができ、傾斜部２Ｂへの指向性を有する照明が可能となっている。
また、照射光は、前記合せガラスＧＢを通過して傾斜部２Ｂに当たり、その反射光が合せガラスＧＡ，ＧＢを通して外方から見えるため、見る角度が異なると、両合せガラスＧＡ，ＧＢの模様ｄどうしの干渉効果によって透過具合が異なり、変化に富んだ照明効果を作りだすことができる（図３参照）。
【００２５】
前記照明器具Ｌは、図４に示すように、横フレーム４Ｂに対して上下に揺動できる状態に支持カバーＬ２の縁部が回転可能に支持されており、合せガラスＧＢに支持カバーＬ２が沿う水平姿勢が通常のセット状態となる。このセット状態においては、照明器具Ｌは、合せガラスＧＢの揺動先端軌跡内に位置しており、合せガラスＧＢが、不用意に開くのを防止するロック機能を果たしている。
また、照明器具Ｌのメンテナンス作業の際には、下方へ揺動させることで、光源Ｌ１が下方に暴露されるから、簡単に作業を実施できる。
更には、この照明器具Ｌを下方に揺動させることで前記合せガラスＧＢの揺動軌跡の外方に退避するから、その退避状態によって合せガラスＧＢへの揺動ロックが解除される。即ち、合せガラスＧＢを下方へ開く時には、照明器具Ｌを上述のように揺動させてロックを解除することで可能となる。
【００２６】
本実施形態の建物外装構造によれば、軒下が傾斜部２Ｂによって前方に迫り出しているから、暗くなり難いと共に、合せガラスＧＢによる太陽光の反射光が、傾斜部２Ｂに照射されることで従来に比べて明るくすることができる。更には、合せガラスＧＡ，ＧＢは、太陽光を建物外壁１に透過できるから、建物外壁１にも影もつくらない。
その結果、建物外壁に太陽光による影の縞柄ができるのを防止でき、建物の外観の美観性を保つことができるようになる。
更には、夜には、前記照明器具Ｌによる照明効果によって建物の外観の美観性を向上させることができ、昼夜を通して建物外観の美観性を向上させることができる。
また、傾斜部２Ｂの表面や、合せガラスＧＢの光反射面が、密閉空間Ｖ内に面して設けられているので、外部に曝されて汚れることを防止でき、照明効果の維持を図る上でのメンテナンスの手間を軽減することができる。
また、光源Ｌ１の点検や交換は、密閉空間Ｖの外で行えるから、簡単に且つ迅速に実施することができる。
【００２７】
〔別実施形態〕
以下に他の実施の形態を説明する。
【００２８】
〈１〉  前記突出部２は、先の実施形態で説明したバルコニーに限るものではなく、例えば、庇であってもよい。
〈２〉  前記傾斜部２Ｂは、先の実施形態で説明したアルミニウム製の積層複合板５で構成したものに限るものではなく、例えば、他の金属板や、外装材や、突出部２と一体に打設したコンクリート等で構成してあってもよい。
また、傾斜角度は、４５度に限るものではなく、要するに、水平面と鉛直面との間で傾斜しているものであればよい。
傾斜部２Ｂの表面は、一つの平面に限るものではなく、例えば、図５（ａ）に示すように、複数の平面どうしを角度を異ならせて隣接させた形状や、図５（ｂ）に示すように、曲面形状であってもよく、更には、突出部２の先端から建物外壁１にかけて設けてあるもの以外にも、図５（ｃ）に示すように、突出部２の突出方向の中間部から建物外壁１にかけて設けてあってもよい。
〈３〉  前記第１透過板ＧＢ、第２透過板ＧＡは、先の実施形態で説明した合せガラスによって構成してあるものに限るものではなく、フロート板ガラスやその強化ガラス等の単板で構成してあったり、間に空間を介在させてある複層ガラス板で構成してあってもよい。更には、第１透過板ＧＢと第２透過板ＧＡとを異なる材料で構成することも可能である。
また、第２透過板ＧＡを省略することも可能である。
〈４〉  透過板の模様ｄは、先の実施形態で説明したセラミックプリントによって形成するものに限らず、他の手法によって形成してあってもよい。また、模様ｄそのものは、ドット模様に限らず、例えば、ライン模様や、幾何学模様等であってもよい。
更には、模様ｄそのものを省略することも可能である。
〈５〉  前記第１透過板ＧＢの透過部Ｐ１と反射部Ｐ２とは、必ずしも個別に設けられるものに限らず、例えば、ハーフミラーガラスのように、同一部分で太陽光の一部を透過すると共に一部を反射するものであってもよい。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３０】
１      建物外壁
２      バルコニー（突出部の一例）
２Ｂ    傾斜部
ｄ      模様
ＧＡ    合せガラス（第２透過板の一例）
ＧＢ    合せガラス（第１透過板の一例）
Ｌ      照明器具
Ｐ１    透過部
Ｐ２    反射部
Ｖ      密閉空間
【図１】
0005720990.tif 000002
【図２】
0005720990.tif 000003
【図３】
0005720990.tif 000004
【図４】
0005720990.tif 000005
【図５】
0005720990.tif 000006